(57)【要約】  エレベータの運転は、あらかじめ設定された設定速度パターンに従ってかごの速度を制御する通常運転モードと、設定速度パターンと異なる生成速度パターンに従ってかごの速度を制御する高速運転モードとの間で切り替え可能になっている。乗場及びかごの少なくともいずれかには、エレベータの表示装置が設けられている。表示装置は、かごの速度の情報を速度表示領域に表示する表示器を備えている。速度表示領域内には、かごの速度に応じて移動する速度反映部が表示される。速度表示領域には、高速運転モード時にのみ速度反映部が進入可能な高速度域と、高速度域での速度よりもかごが低速であるときに速度反映部が存在する共通速度域とが設定されている。速度反映部が少なくとも高速度域にあるときには、高速度域と共通速度域との境界が表示される。
2009028049.tif 000002
【特許請求の範囲】
【請求項１】
あらかじめ設定された設定速度パターンに従ってかごの速度を制御する通常運転モードと、上記設定速度パターンと異なる生成速度パターンに従って上記かごの速度を制御する高速運転モードとの間で切り替え可能なエレベータに設けられたエレベータの表示装置であって、
上記エレベータの乗場及び上記かご内の少なくともいずれかに設けられているとともに、速度表示領域が設けられ、上記かごの速度に応じて移動する速度反映部を上記速度表示領域内に表示する表示器
を備え、
上記速度表示領域には、上記高速運転モード時にのみ上記速度反映部が進入可能な高速度域と、上記高速度域での速度よりも上記かごが低速であるときに上記速度反映部が存在する共通速度域とが設定されており、
上記速度反映部が少なくとも上記高速度域にあるときには、上記高速度域と上記共通速度域との境界が表示されることを特徴とするエレベータの表示装置。
【請求項２】
上記速度反映部が上記高速度域にあるときに、上記共通速度域の色と、上記境界から上記速度反映部までの色とが互いに異なることにより、上記境界が表示されることを特徴とする請求項１に記載のエレベータの表示装置。
【請求項３】
あらかじめ設定された設定速度パターンに従ってかごの速度を制御する通常運転モードと、上記設定速度パターンと異なる生成速度パターンに従って上記かごの速度を制御する高速運転モードとの間で切り替え可能なエレベータに設けられたエレベータの表示装置であって、
上記エレベータの乗場及び上記かご内の少なくともいずれかに設けられ、上記かごの移動方向及び上記かごの位置を示す階床の少なくともいずれかの情報を表示する表示器
を備え、
上記かごの移動方向及び上記かごの位置を示す階床の少なくともいずれかの情報の表示方法は、上記通常運転モード時と上記高速運転モード時とで互いに異なっていることを特徴とするエレベータの表示装置。
【請求項４】
上記かごの移動方向及び上記かごの位置を示す階床の少なくともいずれかの情報の表示の色は、上記通常運転モード時と上記高速運転モード時とで互いに異なっていることを特徴とする請求項３に記載のエレベータの表示装置。
【請求項５】
上記かごの移動方向及び上記かごの位置を示す階床の少なくともいずれかの情報の表示の形状は、上記通常運転モード時と上記高速運転モード時とで互いに異なっていることを特徴とする請求項３に記載のエレベータの表示装置。
【発明の詳細な説明】
【技術分野】
【０００１】
この発明は、かごの速度を制御するための速度パターンを変更可能な可変速エレベータに設けられたエレベータの表示装置に関するものである。
【背景技術】
【０００２】
従来、運行効率の向上を図るために、かご内の重量負荷及びかごの行き先階のそれぞれの情報に基づいてかごの速度パターンを求め、求めた速度パターンに従ってかごの速度を制御する可変速エレベータが提案されている。かごと釣合おもりとの重量差が小さくなって巻上機の駆動トルクが小さくなっているときには、かごの速度パターンの最高速度を上昇させることにより高速運転を行うことができ、より短時間でかごを行き先階へ移動させることができる（特許文献１参照）。【０００３】
【特許文献１】特開２００３−２３８０３７号公報
【発明の開示】
【発明が解決しようとする課題】
【０００４】
しかし、エレベータの高速運転がされている場合であっても、かご内や乗場における乗客は、エレベータについて高速運転がされているか否かを知ることができない。【０００５】
この発明は、上記のような課題を解決するためになされたものであり、エレベータの運転が高速運転モードであるか否かを乗客に対してより確実に伝えることができるエレベータの表示装置を得ることを目的とする。
【課題を解決するための手段】
【０００６】
この発明によるエレベータの表示装置は、あらかじめ設定された設定速度パターンに従ってかごの速度を制御する通常運転モードと、設定速度パターンと異なる生成速度パターンに従ってかごの速度を制御する高速運転モードとの間で切り替え可能なエレベータに設けられたエレベータの表示装置であって、エレベータの乗場及びかご内の少なくともいずれかに設けられているとともに、速度表示領域が設けられ、かごの速度に応じて移動する速度反映部を速度表示領域内に表示する表示器を備え、速度表示領域には、高速運転モード時にのみ速度反映部が進入可能な高速度域と、高速度域での速度よりもかごが低速であるときに速度反映部が存在する共通速度域とが設定されており、速度反映部が少なくとも高速度域にあるときには、高速度域と共通速度域との境界が表示される。
【図面の簡単な説明】
【０００７】
【図１】この発明の実施の形態１によるエレベータを示す模式的な構成図である。
【図２】図１の表示器の表示画面を示す正面図である。
【図３】図２の表示器に表示される階床情報及び方向情報の各表示を通常運転モード時と高速運転モード時とで対比して示す正面図であり、図３（ａ）は階床情報の表示を示す図、図３（ｂ）は方向情報の表示を示す図である。
【図４】図１の表示装置の動作を説明するためのフローチャートである。
【図５】この発明の実施の形態１によるエレベータの表示装置における速度表示領域の他の例を示す正面図である。
【図６】この発明の実施の形態１によるエレベータの表示装置における階床情報及び方向情報の各表示の他の例を通常運転モード時と高速運転モード時とで対比して示す正面図であり、図６（ａ）は階床情報の表示を示す図、図６（ｂ）は方向情報の表示を示す図である。
【発明を実施するための最良の形態】
【０００８】
以下、この発明の好適な実施の形態について図面を参照して説明する。
実施の形態１．
図１は、この発明の実施の形態１によるエレベータを示す模式的な構成図である。図において、複数の階床が設けられた建物には、エレベータの昇降路が建物の高さ方向に沿って設けられている（図示せず）。昇降路内には、かご１及び釣合おもり２が昇降可能に設けられている。かご１及び釣合おもり２は、主索３により吊り下げられている。主索３は、巻上機（駆動装置）４の駆動シーブに巻き掛けられている。巻上機４は、駆動シーブを回転させる駆動力（駆動トルク）を発生する。かご１及び釣合おもり２は、巻上機４の駆動シーブの回転により、昇降路内を昇降される。また、かご１は、各階床の乗場に停止可能になっている。【０００９】
かご１内にはかご操作盤が設けられ、各乗場には乗場操作盤が設けられている（いずれも図示せず）。また、かご１には、かご１内の重量負荷を測定する秤装置（図示せず）が設けられている。かご操作盤、乗場操作盤及び秤装置のそれぞれからの情報は、エレベータの運転を制御する制御装置５へ送られる。制御装置５は、かご操作盤及び乗場操作盤のそれぞれからの情報に基づいて、かご１の行き先階の呼び登録を行う。かご１は、制御装置５の制御により、呼び登録された行き先階へ移動される。【００１０】
エレベータの運転は、かご操作盤、乗場操作盤及び秤装置のそれぞれからの情報に基づいて、制御装置５により制御される。また、エレベータの運転は、あらかじめ設定された設定速度パターンに従ってかご１の速度を制御する通常運転モードと、設定速度パターンと異なる生成速度パターンに従ってかご１の速度を制御する高速運転モードとの間で切り替え可能になっている。高速運転モードは、通常運転モード時よりも短時間で行き先階に到達するようにかご１の速度を制御する運転モードである。【００１１】
設定速度パターンは、制御装置５にあらかじめ設定されている。生成速度パターンは、高速運転モード時に制御装置５によって算出される。また、生成速度パターンは、設定速度パターンよりも最高速度及び加速度の少なくともいずれかを高くした速度パターンとされている。【００１２】
ここで、巻上機４の出力周波数は、かご１を移動させるために必要な駆動トルクが小さくなるほど、高くすることができる。また、行き先階に到達するまでのかご１の移動距離が短い場合には、かご１の最高速度を高くするよりも、かご１の加速度を高くするほうが、かご１は短時間で行き先階に到達する。このようなことから、通常運転モードと高速運転モードとの切り替えは、かご１の重量負荷及びかご１の行き先階のそれぞれの情報に基づいて、制御装置５により行われる。【００１３】
かご１内及び各乗場には、エレベータの運転に関する情報を報知情報として表示する表示装置６が設けられている。各表示装置６には、かご１の位置（かご１が存在する階床）を示す階床情報、かご１の移動方向を示す方向情報、かご１の速度を示す速度情報、及び高速運転モードへの切り替えの有無を示す運転情報のそれぞれが制御装置５から送られる。各表示装置６は、制御装置５からの情報に基づいて、階床情報、方向情報、速度情報及び運転情報を報知情報として表示する。【００１４】
各表示装置６は、運転情報に基づいて、階床情報、方向情報及び運転情報の表示方法を制御する。即ち、各表示装置６では、階床情報、方向情報及び運転情報の表示方法が通常運転モードと高速運転モードとで互いに異なっている。従って、階床情報、方向情報及び運転情報の各表示は、エレベータの運転が通常運転モード及び高速運転モードのいずれになっているかの識別が可能な表示とされている。【００１５】
各表示装置６は、表示器７、通信部８、メモリ９、表示情報格納部１０、演算処理部１１及び表示制御部１２を有している。【００１６】
表示器７は、報知情報を表示可能な表示画面を有している。表示器７としては、例えば液晶ディスプレイ、プラズマディスプレイ、ＬＥＤあるいはブラウン管等が挙げられる。【００１７】
通信部８は、制御装置５と表示装置６との情報通信を行う。【００１８】
メモリ９には、表示装置６の動作を制御するプログラム及び作業用データが格納されている。【００１９】
表示情報格納部１０には、表示器７に表示される例えば文字や図形等の情報が設定表示情報として格納されている。【００２０】
演算処理部１１は、メモリ９に格納されたプログラム及び作業用データに基づいて動作する。また、演算処理部１１は、通信部８からの情報（階床情報、方向情報、速度情報及び運転情報）に基づいて設定表示情報を表示情報格納部１０から取り出し、取り出した設定表示情報を表示制御部１２へ送る。【００２１】
表示制御部１２は、演算処理部１１によって表示情報格納部１０から取り出された設定表示情報を表示器７に表示する。【００２２】
図２は、図１の表示器７の表示画面を示す正面図である。図において、表示器７の表示画面には、速度情報を表示する速度表示領域１３と、階床情報を表示する階床表示領域１４と、方向情報を表示する方向表示領域１５と、運転情報を表示する運転表示領域１６とが設けられている。【００２３】
速度表示領域１３の形状は、水平に配置された帯状になっている。速度表示領域１３には、かご１の速度に応じて長さが水平方向へ変化する速度表示バー１７が表示される。速度情報は、速度表示バー１７の長さにより特定される。即ち、速度表示領域１３に表示される速度表示バー１７の先端部（速度反映部）は、かご１の速度に応じて移動する。速度情報は、速度表示バー１７の先端部の速度表示領域１３内における位置により特定される。【００２４】
速度表示領域１３には、高速運転モード時にのみ速度表示バー１７の先端部が進入可能な高速度域１８と、高速度域１８での速度よりもかご１が低速であるときに速度表示バー１７の先端部が存在する共通速度域１９とが設定されている。【００２５】
速度表示バー１７の先端部が高速度域１８に進入しているときには、高速度域１８と共通速度域１９との境界が表示される。これにより、かご１が通常運転モード時よりも高速で移動しているか否かの識別が可能になる。この例では、共通速度域１９の色と、当該境界から速度表示バー１７の先端部までの色とが互いに異なっている。例えば共通速度域１９での速度表示バー１７の色が白色とされ、高速度域１８での速度表示バー１７の色が赤色とされる。これにより、高速度域１８と共通速度域１９との境界が表示される。【００２６】
運転表示領域１６には、文字のメッセージによって運転情報が表示される。この例では、エレベータの運転が高速運転モードであるときには「高速運転モード」の表示がされ、通常運転モードであるときには「高速運転モード」の表示が消去される。なお、通常運転モードであるときには、「通常運転モード」の表示を運転表示領域１６に行うようにしてもよいし、エレベータの運転と無関係な情報（例えば日時情報等）を運転表示領域１６に表示するようにしてもよい。【００２７】
階床表示領域１４には、階床を特定する数字によって階床情報が表示される。また、方向表示領域１５には、三角形の矢印によって方向情報が表示される。【００２８】
図３は、図２の表示器７に表示される階床情報及び方向情報の各表示を通常運転モード時と高速運転モード時とで対比して示す正面図であり、図３（ａ）は階床情報の表示を示す図、図３（ｂ）は方向情報の表示を示す図である。この例では、高速運転モード時の階床情報の表示は、通常運転モード時よりも太字とされる（図３（ａ））。また、高速運転モード時の方向情報の表示は、通常運転モード時よりも幅寸法が小さく高さ寸法が大きい三角形の矢印とされる（図３（ｂ））。即ち、階床情報及び方向情報のそれぞれの表示の形状は、通常運転モード時と高速運転モード時とで互いに異なっている。【００２９】
次に、各表示装置６の動作について説明する。図４は、図１の表示装置６の動作を説明するためのフローチャートである。図に示すように、まず、表示装置６は、表示情報格納部１０に格納された必要な初期画面（例えば背景画面等）を表示器７に表示する（Ｓ１）。この後、表示装置６は、制御装置５からの情報を受信したか否かの判定を行う（Ｓ２）。表示装置６は、制御装置５からの情報を受信していない場合、表示器７の画面の表示を保持しながら（Ｓ３）、制御装置５からの受信の有無の判定を繰り返し行う。【００３０】
表示装置６が制御装置５からの情報を受信した場合、表示装置６は、制御装置５からの運転情報に基づいて、エレベータの運転が高速運転モードであるか否かを判定する（Ｓ４）。また、この場合、表示装置６は、制御装置５からの速度情報に応じた長さの速度表示バー１７を速度表示領域１３に表示する。即ち、表示装置６は、速度情報の表示を表示器７に行う。【００３１】
高速運転モードであるか否かの判定の結果、エレベータの運転が高速運転モードでないと判定した場合、表示装置６は、通常運転モード時の表示方法によって階床情報、方向情報及び運転情報の各表示を表示器７に行う（Ｓ５）。また、エレベータの運転が高速運転モードであると判定した場合、表示装置６は、高速運転モード時の表示方法によって階床情報、方向情報及び運転情報の各表示を表示器７に行う（Ｓ６）。【００３２】
速度情報、階床情報、方向情報及び運転情報を表示器７に表示した後、表示装置６は、制御装置５からの情報を受信したか否かを判定し（Ｓ２）、上記と同様の動作を行う。この後、表示装置６は、この動作を周期的に繰り返す。【００３３】
このようなエレベータの表示装置６では、高速運転モード時にのみ速度表示バー１７の先端部が進入可能な高速度域１８と、高速度域１８での速度よりもかご１が低速であるときに速度表示バー１７の先端部が存在する共通速度域１９とが速度表示領域１３に設定されており、速度表示バー１７の先端部が高速度域１８にあるときに、高速度域１８と共通速度域１９との境界が表示されるので、速度表示バー１７の先端部が高速度域１８に進入しているときには、エレベータの運転が高速運転モードであることを識別することができる。これにより、エレベータの運転が高速運転モードであるか否かを乗客に対してより確実に伝えることができる。【００３４】
また、速度表示バー１７の先端部が高速度域１８にあるときに、共通速度域１９の色と、速度域１８，１９の境界から速度表示バー１７の先端部までの色とが互いに異なっているので、高速度域１８と共通速度域１９との境界を容易に識別することができる。これにより、エレベータの運転が高速運転モードであるか否かを乗客に対してさらに確実に伝えることができる。【００３５】
また、階床情報及び方向情報のそれぞれの表示方法は、通常運転モード時と高速運転モード時とで互いに異なっているので、表示方法の違いによって、通常運転モードと高速運転モードとを識別することができる。これにより、エレベータの運転が高速運転モードであるか否かを乗客に対してより確実に伝えることができる。【００３６】
また、階床情報及び方向情報のそれぞれの表示の形状は、通常運転モード時と高速運転モード時とで互いに異なっているので、通常運転モードと高速運転モードとの識別をより確実に行うことができる。【００３７】
なお、上記の例では、速度表示領域１３の形状が水平方向に沿った帯状とされているが、図５に示すように、速度表示領域１３の形状を上下方向に沿った帯状（図５（ａ））や弧状（扇形）（図５（ｂ））としてもよい。この場合、速度表示バー１７の先端部は、かご１の速度が変化すると、速度表示領域１３に沿って移動する。このようにしても、通常運転モードと高速運転モードとを識別することができる。【００３８】
また、上記の例では、階床情報の表示が高速運転モード時に通常運転モード時よりも太字になるようにされているが、図６（ａ）に示すように、階床情報の表示の書体が高速運転モード時に通常運転モード時よりも斜体となるようにされていてもよい。また、上記の例では、方向情報の表示が三角形の矢印とされているが、図６（ｂ）に示すように、三角形の矢印と異なる種類の矢印を方向情報の表示としてもよい。さらに、階床情報及び方向情報の各表示の色が通常運転モード時と高速運転モード時とで互いに異なるようにしてもよい。このようにしても、通常運転モードと高速運転モードとを識別することができる。【００３９】
また、メモリ９及び表示情報格納部１０は、共通の記憶装置や記憶素子であってもよいし、別個独立した記憶装置や記憶素子であってもよい。さらに、メモリ９及び表示情報格納部１０は、例えばハードディスクドライブや不揮発性メモリ、随時書き込み保持動作の必要なメモリ等、どのような記憶装置や記憶素子であってもよい。【００４０】
また、通信部８、メモリ９、表示情報格納部１０、演算処理部１１及び表示制御部１２は、共通のマイコン（マイクロコンピュータ）に搭載されていてもよいし、それぞれ独立していてもよい。【００４１】
また、制御装置５から各表示装置６への運転情報の伝送は、周期的に行われるようになっていてもよいし、通常運転モードと高速運転モードとの切り替えが発生したときにのみ行われるようになっていてもよい。【００４２】
また、上記の例では、階床情報及び方向情報のそれぞれの表示方法が通常運転モード時と高速運転モード時とで互いに異なるようになっているが、階床情報及び方向情報の各表示のうち、いずれかの表示方法のみが通常運転モード時と高速運転モード時とで互いに異なるようになっていてもよい。【００４３】
また、上記の例では、運転情報の表示がされるようになっているが、階床情報、方向情報及び速度情報の各表示の少なくともいずれかが、通常運転モードと高速運転モードとの識別が可能な表示となっているときには、運転情報の表示を行わなくてもよい。【００４４】
また、上記の例では、速度表示バー１７の先端部が高速度域１８に進入しているときにのみ、高速度域１８と共通速度域１９との境界が表示されるようになっているが、高速度域１８と共通速度域１９との境界をあらかじめ速度表示領域１３に表示しておいてもよい。【００４５】
また、上記の例では、速度情報の表示が速度表示バー１７の長さの変化により行われているが、かご１の速度に応じて速度表示領域１３内を移動する例えば表示針や発光点等（速度反映部）によって速度情報の表示を行ってもよい。【００４６】
また、上記の例では、階床情報、方向情報及び運転情報の各表示は、エレベータの運転中に静止表示されているが、階床情報、方向情報及び運転情報の各表示を上下方向あるいは水平方向へ移動（スクロール）させるようにしてもよいし、拡大及び縮小させるようにしてもよい。
【図１】
2009028049.tif 000003
【図２】
2009028049.tif 000004
【図３】
2009028049.tif 000005
【図４】
2009028049.tif 000006
【図５】
2009028049.tif 000007
【図６】
2009028049.tif 000008
【国際調査報告】
2009028049.tif 000009
2009028049.tif 000010
2009028049.tif 000011
2009028049.tif 000012